(57)【要約】【課題】着脱が容易であり互いに異なる収容構造体に付け替えて使用可能な覆い部材を提供する。【解決手段】回動扉を有する収容構造体の屋根に取り外し自在に取り付けられる屋根取付部と、前記回動扉に取り外し自在に取り付けられる扉取付部と、前記屋根取付部と前記扉取付部との間にて、展張可能に折り畳まれる中継部と、を有し、前記回動扉が閉じられた前記収容構造体に、前記中継部が折り畳まれた状態にて取り付けられ、前記回動扉を開くことにより前記中継部が展張して、前記収容部の手前の空間における上部を覆う。【選択図】図４
2014135802.tif 000002
【特許請求の範囲】
【請求項１】
回動扉を有する収容構造体の屋根に取り外し自在に取り付けられる屋根取付部と、
前記回動扉に取り外し自在に取り付けられる扉取付部と、
前記屋根取付部と前記扉取付部とを繋ぎ、展張可能に折り畳まれる中継部と、
を有し、
前記回動扉が閉じられた前記収容構造体に、前記中継部が折り畳まれた状態にて取り付けられ、前記回動扉を開くことにより前記中継部が展張して、前記収容部の手前の空間における上部を覆うことを特徴とする覆い部材。
【請求項２】
前記中継部が折り畳まれた状態にて前記屋根上に載置して前記屋根取付部が前記屋根に取り付けられた後に、前記扉取付部を前記回動扉に取り付けることを特徴とする請求項１に記載の覆い部材。
【請求項３】
前記屋根取付部と前記中継部との境界、及び、前記扉取付部と前記中継部との境界にて折り曲げられるとともに、前記屋根取付部と前記扉取付部とのうちの一方が表側に、他方が裏側に位置するように折り畳まれ、
前記屋根取付部及び前記扉取付部と前記中継部との境界をなす折曲部がいずれも前記屋根において前記回動扉が設けられている側の端側に配置されることを特徴とする請求項１または請求項２に記載の覆い部材。
【請求項４】
前記屋根及び前記回動扉は金属製であり、
前記屋根取付部及び前記扉取付部には磁石が設けられていることを特徴とする請求項１乃至請求項３のいずれかに記載の覆い部材。
【請求項５】
前記収容構造体は、見付け方向における中央から互いに相反する方向に回動する２枚の前記回動扉を有しており、
前記中継部は、前記２枚の回動扉が開かれることにより展張し、開らかれて互いに対向する前記２枚の回動扉間に掛け渡されることを特徴とする請求項１乃至請求項４のいずれかに記載の覆い部材。
【発明の詳細な説明】
【技術分野】
【０００１】
本発明は、回動扉を有する収容構造体に用いられる覆い部材に関する。
【背景技術】
【０００２】
回動扉を有する収容構造体の回動扉を開いた状態で、雨水等が内部に降り込むことを防止するために上部を覆う覆い部材として、例えば、収容構造体としての屋外設置形配電盤のケース本体の前面に備えた扉の上部とケース本体の前面上部とにそれぞれ固定されて、扉の開閉に伴ってじゃばら式に伸縮してケース本体の前面と開放された扉との間の空間上部を覆うカバーが知られている（特許文献１参照）。このカバーは、配電盤等の据え付け時における電線の繋ぎ込み作業、設置後の点検調整などの現場作業の際に、ケース内に雨水が降り込むこと、あるいは、作業者が濡れることを防止するために設けられている。
【先行技術文献】
【特許文献】
【０００３】
【特許文献１】実開平２−３１０７号公報
【発明の概要】
【発明が解決しようとする課題】
【０００４】
上記カバーは、配電盤等の据え付け時や、設置後の点検調整時などに使用されるものであり、常に使用されるものではない。すなわち、屋外設置形配電盤などの収容構造体の各々に、常に設けておく必要はなく、使用時のみに現場にて備えればよい。また常に使用するものでないにも拘わらず、常に外部に露出して設けられているので、劣化が早く、費用的な無駄が大きいという課題がある。
【０００５】
本発明は、このような事情に鑑みてなされたものであり、その目的は、着脱が容易であり互いに異なる収容構造体に付け替えて使用可能な覆い部材を提供することにある。
【課題を解決するための手段】
【０００６】
前記目的を達成するために本発明の覆い部材は、回動扉を有する収容構造体の屋根に取り外し自在に取り付けられる屋根取付部と、前記回動扉に取り外し自在に取り付けられる扉取付部と、前記屋根取付部と前記扉取付部とを繋ぎ、展張可能に折り畳まれる中継部と、を有し、前記回動扉が閉じられた前記収容構造体に、前記中継部が折り畳まれた状態にて取り付けられ、前記回動扉を開くことにより前記中継部が展張して、前記収容部の手前の空間における上部を覆うことを特徴とする覆い部材である。
【０００７】
このような覆い部材によれば、覆い部材が有する屋根取付部と扉取付部とは、いずれも取り外し自在に取り付けられているので、覆い部材を常に収容構造体に設けておく必要はなく、作業時に現場に持ち込んで取り付けて使用することが可能である。このため、常に外部に露出されて劣化しないので長期にわたって使用することが可能であり、また、互いに異なる複数の収容構造体に対して付け替えて使用することが可能なので、より有効に使用することが可能である。
【０００８】
また、覆い部材は、回動扉が閉じられた収容構造体に、中継部が折り畳まれた状態にて取り付けられ、回動扉を開くことにより中継部が展張して収容部の手前の空間における上部を覆うので、容易に取り付けることが可能である。また、作業時には必ず行う回動扉を開く動作により中継部が展張されるので、単なるシートにて収容部の手前の空間における上部を覆うような煩雑な作業をすることなく容易に収容部の手前の空間を覆うことが可能である。このため使い勝手のよい覆い部材を提供することが可能である。
【０００９】
かかる覆い部材であって、前記中継部が折り畳まれた状態にて前記屋根上に載置して前記屋根取付部が前記屋根に取り付けられた後に、前記扉取付部を前記回動扉に取り付けることが望ましい。
このような覆い部材によれば、覆い部材を支えつつ覆い部材の取り付け作業を行う必要はないので、より容易に覆い部材を取り付けることが可能である。
【００１０】
かかる覆い部材によれば、前記屋根取付部と前記中継部との境界、及び、前記扉取付部と前記中継部との境界にて折り曲げられるとともに、前記屋根取付部と前記扉取付部とのうちの一方が表側に、他方が裏側に位置するように折り畳まれ、前記屋根取付部及び前記扉取付部と前記中継部との境界をなす折曲部がいずれも前記屋根において前記回動扉が設けられている側の端側に配置されることが望ましい。
このような覆い部材によれば、屋根取付部と扉取付部とのうちの一方が表側に、他方が裏側に位置するように中継部が折り畳まれた状態で、屋根取付部及び扉取付部と中継部との境界をなす折曲部がいずれも屋根において回動扉が設けられている側の端側に配置されるので、屋根取付部を屋根に取り付けて扉取付部を扉側に移動させるだけで、扉取付部を回動扉と対向する位置に配置することが可能である。このため、より取り付けやすい覆い部材を提供することが可能である。
【００１１】
かかる覆い部材であって、前記屋根及び前記回動扉は金属製であり、前記屋根取付部及び前記扉取付部には磁石が設けられていることが望ましい。
このような覆い部材によれば、屋根取付部及び扉取付部は磁石の磁力により金属製の屋根及び回動扉に取り付けられているだけなので、収容構造体に、より容易に着脱することが可能な覆い部材を実現することが可能である。
【００１２】
かかる覆い部材であって、前記収容構造体は、見付け方向における中央から互いに相反する方向に回動する２枚の前記回動扉を有しており、前記中継部は、前記２枚の回動扉が開かれることにより展張し、開らかれて互いに対向する前記２枚の回動扉間に掛け渡されることが望ましい。
このような覆い部材によれば、２枚の回動扉を開くことにより、２枚の回動扉に挟まれた、収容部の手前の空間の上部を全域に渡って容易に覆うことが可能である。
【発明の効果】
【００１３】
本発明によれば、着脱が容易であり互いに異なる収容構造体に付け替えて使用可能な覆い部材を実現することが可能である。
【図面の簡単な説明】
【００１４】
【図１】本発明の一実施形態に係る覆い部材の使用状態を示す図である。
【図２】本実施形態の覆い部材を折り畳む前の状態を示す平面図である。
【図３】覆い部材の折り畳み方の一例を説明する図である。
【図４】覆い部材の使用方法を説明するための斜視図である。
【図５】覆い部材の取り付け方の変形例を示す側面図である。
【図６】ＬＥＤ照明を備えた覆い部材を示す図である。
【図７】携帯性に優れた覆い部材を示す図である。
【発明を実施するための形態】
【００１５】
以下、本発明の一実施形態として、屋外に設置されたＢｏｘ局にて配電盤や操作盤等が収容されている収容部を備えた収容構造体としての収容Ｂｏｘ１０に用いる覆い部材２０を例に挙げ図を用いて説明する。
【００１６】
本実施形態の収容Ｂｏｘ１０には、内部に配電盤等の電気設備２が設けられている。この収容Ｂｏｘ１０は、基礎１上に設けられた、電気設備２の収容部１６を形成する金属製の背面壁部１１(図５)、左右の側壁部１２（図４）、屋根１３、及び、収容部１６の前面に設けられ開口１４ａを有する正面枠部１４と、開口１４ａを閉塞可能に設けられた回動扉１７とを有している。
【００１７】
以下の説明においては、収容Ｂｏｘ１０を正面から見たときに上下となる方向を上下方向、左右となる方向を左右方向または見付け方向、室内外方向である奥行き方向を見込み方向として示す。また、覆い部材２０は、単体の状態であっても覆い部材２０が収容Ｂｏｘ１０に取り付けられた状態で上下方向、見付け方向、見込み方向等となる方向にて方向を特定して説明する。
【００１８】
正面枠部１４は、上下左右を矩形状に囲む周枠部１４ｂと、見付け方向における中央にて周枠部１４ｂを上下に繋ぐ中央枠部１４ｃとを有し、周枠部１４ｂにて囲まれた領域が中央枠部１４ｃにて２つに分割された各領域が、収容部１６の内外を連通する開口１４ａをなしている。
【００１９】
回動扉１７は、周枠部１４ｂの左右端にて鉛直方向に沿う縦枠部１４ｄに回動自在に支持され、２つの開口１４ａを各々閉塞可能に設けられている。このため、収容部１６内に設けられた配電盤等のメンテナンスや故障の復旧作業は、２枚の回動扉１７を開いた状態にて行われる。このような作業の際に、降雨や降雪があると収容部１６内に雨水等が降り込みやすいため、収容部１６の手前の領域の上部に覆うために本願発明の覆い部材２０を用いる。
【００２０】
本願発明の一実施例である覆い部材２０は、例えばブルーシートなどの遮水性を有するシート材が展張自在に折り畳まれている。覆い部材２０は、図２に示すように、屋根１３において収容Ｂｏｘ１０の前面側に取り外し自在に取り付けられる屋根取付部２１と、２枚の回動扉１７の上部に取り外し自在に取り付けられる扉取付部２２と、屋根取付部２１と扉取付部２２との間にて展張可能に折り畳まれる中継部２３と、を有している。屋根取付部２１と扉取付部２２とには、プレート状の磁石２４が内包されており、金属製の屋根１３及び回動扉１７に磁力により固定される。
【００２１】
中継部２３は、展張した状態にて長方形状をなしており、その長辺が収容Ｂｏｘ１０の見付け方向の幅Ｗ１をなし、短辺が閉じられた１枚の回動扉１７の見付け方向の幅Ｗ２をなしている。以下の説明においては、中継部２３の４つの角の頂点を図２に示すようにそれぞれＡ、Ｂ、Ｃ、Ｄとする。屋根取付部２１は、中継部２３の長辺をなす一方の縁ＡＤから見込み方向に延出されており、扉取付部２２は、中継部２３の短辺をなす両辺ＡＢ、ＣＤから各々見付け方向に延出されている。このとき、屋根取付部２１が延出されている延出幅Ｗ３と扉取付部２２が延出されている延出幅Ｗ３とは一致している。
【００２２】
中継部２３は、長辺ＡＤの中点Ｅと長辺ＢＣの中点Ｆを繋ぐ線ＥＦにて分けられる２つ矩形状の領域をなす四角形ＡＢＦＥと四角形ＥＦＣＤとが左右対称となるように折り畳まれる。このとき、本実施形態のように、収容Ｂｏｘ１０の前面の全域を２枚の回動扉１７で閉塞する場合には、四角形ＡＢＦＥと四角形ＥＦＣＤとは、ほぼ正方形状をなしている。
【００２３】
この中継部２３は、図３に示すように、四角形ＡＢＦＥを、対角線ＡＦが下側に突となるように谷折りし（図３（ａ））、対角線ＡＦにより分けられた２つの領域をなす三角形ＡＢＦと三角形ＡＥＦは、角ＢＡＦと角ＥＡＦとを二等分する線ＡＧ及び線ＡＨにて山折りする（図３（ｂ）〜図３（ｄ））。また、四角形ＦＥＣＤは、対角線ＤＦが下側に突となるように谷折りし（図３（ａ））、対角線ＤＦにより分けられた２つの領域をなす三角形ＤＣＦと三角形ＤＥＦは、角ＣＤＦと角ＥＤＦとを二等分する線ＤＩ及び線ＤＨにて山折りする（図３（ｂ）〜図３（ｄ））。
【００２４】
このとき、対角線ＡＦと線ＧＨの交点Ｊとして線ＧＪを山折りして線ＪＨを谷折りし、対角線ＤＦと線ＩＨの交点Ｋとして線ＩＫを山折りして線ＫＨを谷折りすると、線ＡＨと線ＡＧとが重なり、線ＤＨと線ＤＩが重なるとともに点Ｇと点Ｉとが頂点となって点Ｈ側に移動して、三角形ＡＨＤと三角形ＡＧＤ（三角形ＡＩＤ）とが重なり合う（図３（ｄ）、図３（ｅ））。また、三角形ＡＨＤと三角形ＡＧＤ（三角形ＡＩＤ）とが重なり合った状態で、線ＧＪと線ＩＫとの間から、折り畳まれた三角形ＨＪＦと三角形ＨＫＦとが、三角形ＡＨＤと直交するように、点Ｆを頂点として突出している（図３（ｅ））。
【００２５】
次に、突出した点Ｆを頂点とする部位を左右のいずれかの方向に折り畳む。最後に、中継部２３と屋根取付部２１との境界となる線ＡＤにて屋根取付部２１を、中継部２３と扉取付部２２との境界となる線ＡＢ及び線ＣＤにて扉取付部２２を、それぞれ折り畳む（図３（ｆ）、図３（ｇ））。このとき、屋根取付部２１と扉取付部２２とは、互いに反対方向に折り畳むことにより、屋根取付部２１と扉取付部２２とが、折り畳まれた覆い部材２０の外側、すなわち、一方が表側、他方が裏側に位置し、一方の辺の長さが収容Ｂｏｘ１０の見付け方向の幅Ｗ１をなし、他方の辺の長さが屋根取付部２１及び扉取付部２２の延出幅Ｗ３をなす長方形状に折り畳まれる。
【００２６】
そして、この覆い部材２０を使用する場合には、まず、図４（ａ）に示すように、上記のように折り畳まれた状態にて、回動扉１７が閉じられた状態の収容Ｂｏｘ１０の屋根１３に、屋根取付部２１が下に、扉取付部２２が上になるように載置する。覆い部材２０を屋根１３上に載置することにより屋根取付部２１に内包された磁石２４にて覆い部材２０が屋根１３に固定される。このとき、屋根取付部２１と中継部２３との境界をなす折曲部としての折り目（ＡＤ）及び扉取付部２２と中継部２３との境界をなす折曲部としての折り目（ＡＢ、ＣＤ）を、屋根１３の手前側、すなわち回動扉１７側の縁に沿うように配置する。
【００２７】
次に、図４（ｂ）に示すように、折り畳まれて最も上に位置している２つの扉取付部２２を、扉取付部２２と中継部２３との境界をなす折曲部としての折り目（ＡＢ、ＣＤ）を中心に、上方にそれぞれ引き起こして、屋根１３より手前に移動させ、そのまま、下方に折り曲げて、回動扉１７の上部に当接させる。扉取付部２２を回動扉１７の上部に当接することにより扉取付部２２に内包された磁石２４にて覆い部材２０が回動扉１７に固定される。
【００２８】
そして、図４（ｃ）に示すように、回動扉１７を中央から両側に開くと、回動扉１７に取り付けられた扉取付部２２に引っ張られて中継部２３が屋根１３より前方に引き出されて漸次展張されていく。その後、回動扉１７がほぼ９０度回動して、２枚の回動扉１７がほぼ見込み方向に沿い、ほぼ平行をなして互いに対向する位置まで開くと、図４（ｄ）に示すように、中継部２３がほぼ平坦な長方形状をなすように展張される。このとき、収容部１６の手前であり、２枚の回動扉１７に挟まれた空間の上部が中継部２３により覆われる。
【００２９】
本実施形態の覆い部材２０によれば、覆い部材２０が有する屋根取付部２１と扉取付部２２とは、いずれも取り外し自在に磁石２４の磁力により金属製の屋根１３及び回動扉１７に取り付けられているだけなので、収容Ｂｏｘ１０に容易に着脱することが可能となり、覆い部材２０を常に収容Ｂｏｘ１０に設けておく必要はなく、作業時に現場に持ち込んで取り付けて使用することが可能である。このため、常に外部に露出されて劣化しないので長期にわたって使用することが可能であり、また、互いに異なる複数のＢｏｘ局に対して付け替えて使用することが可能なので、より有効に使用することが可能である。
【００３０】
また、覆い部材２０は、回動扉１７が閉じられた収容Ｂｏｘ１０に、中継部２３が折り畳まれた状態にて取り付けられ、回動扉１７を開くことにより中継部２３が展張して収容部１６の手前の空間における上部を覆うので、簡単な作業にて容易に収容部１６の手前の空間を覆うことが可能である。また、作業時には必ず行う回動扉１７を開く動作により中継部２３が展張されるので、単なるシートにて収容部２６の手前の空間における上部を覆うような煩雑な作業をすることなく容易に収容部１６の手前の空間を覆うことが可能である。このため使い勝手のよい覆い部材２０を提供することが可能である。
【００３１】
本実施形態の収容Ｂｏｘ１０は、見付け方向における中央から互いに相反する方向に回動する２枚の回動扉１７を有しているので、２枚の回動扉１７を開くことにより中継部２３が展張して互いに対向する２枚の回動扉１７間に掛け渡される。このため、２枚の回動扉１７に挟まれた、収容部１６の手前の空間の上部を全域に渡って容易に覆うことが可能である。また、見付け方向の左右端にて回動扉１７により中継部２３が支持されるので、たとえ雨水等の重みが増したとしても垂れることを抑制することが可能である。
【００３２】
また、覆い部材２０は、まず屋根１３に載置した状態で取付作業が可能なので、覆い部材２０を支えつつ屋根１３や回動扉１７に取り付ける必要はない。このため、より容易に覆い部材２０を取り付けることが可能である。
【００３３】
また、覆い部材２０は、屋根取付部２１と扉取付部２２とが互いに裏側に位置するように中継部２３が折り畳まれた状態で、屋根取付部２１及び扉取付部２２と中継部２３との境界をなす折曲部がいずれも屋根１３において回動扉１７側の端側に配置されるので、屋根取付部２１を屋根１３に取り付けて扉取付部２２を回動扉１７側に移動させるだけで、扉取付部２２を回動扉１７と対向する位置に配置することが可能である。このため、より取り付けやすい覆い部材２０を提供することが可能である。
【００３４】
上記実施形態においては、扉取付部２２と中継部２３との境界である折り目（ＡＢ、ＣＤ）が回動扉１７の上端とほぼ平行になるように、回動扉１７の上部に扉取付部を取り付け、回動扉１７を開いた際に、中堅部がほぼ水平面をなす例について説明したが、これに限るものではない。たとえば、扉取付部２２と中継部２３との境界である折り目（ＡＢ、ＣＤ）が、見付け方向における中央側（Ｂ、Ｃ側）が端側（Ａ、Ｄ側）より高くなるように傾斜させて扉取付部２２を回動扉１７に取り付けてもよい。この場合には、図５に示すように回動扉１７を開いた際に、中継部２３がなす上面が、手前側から収容部１６側に向かって低くなるように傾斜するので、雨水を収容Ｂｏｘ１０の後側に向かって導くことが可能である。
【００３５】
また、覆い部材２０により上部を覆うと、作業空間となる収容部１６の手前側の空間が暗くなるので、図６に示すように、覆い部材２０を展張した際に中継部２３の下面となる位置に、例えばＬＥＤ照明２５などを設けておいてもよい。
【００３６】
また、上記実施形態においては、一方の辺の長さが収容Ｂｏｘ１０の見付け方向の幅Ｗ１をなし、他方の辺の長さが屋根取付部２１及び扉取付部２２の延出幅Ｗ３をなす長方形状に覆い部材２０を折り畳む例について説明したが、これに限るものではない。たとえば、屋根取付部２１に内包する磁石２４を見付け方向における中央にて２つに分け、見付け方向における中央にて２つに折り畳んでもよい。また、図７に示すように、屋根取付部２１に内包する磁石２４を見付け方向において４等分し、扉取付部２２に内包する磁石２４を見付け方向において２等分して、４つに折り畳んでもよい。この場合には、より携帯性に優れた覆い部材２０を提供することが可能である。
【００３７】
また、覆い部材２０を折り畳んだ状態にて、内包した磁石２４が互いに引き付けように磁石２４の極性を揃えると、折り畳んだ状態が維持されるので、携帯性により優れた覆い部材２０を提供することが可能である。
【００３８】
上記実施形態においては、２枚の回動扉１７を有する収容Ｂｏｘ１０に使用される覆い部材２０を例に挙げて説明したが、これに限るものではない。例えば、１枚の回動扉１７を有する収容Ｂｏｘ１０の場合には、上記実施形態の覆い部材２０の、見込み方向における左右における半分だけの覆い部材を用いる。この場合には、１枚の回動扉１７を開いた際に、見付け方向における一方の端は、回動扉１７に支持されているが、他方の端は支持されない。このため、回動扉１７を開いた後に、収容Ｂｏｘ１０の他方の端、すなわち回動扉１７が支持されていない側の端から手前側に突出するように取り付け可能なロッドを設けるとともに、覆い部材にロッドの先端が挿入される挿入部を設けておくことにより、挿入部に挿入されたロッドに覆い部材２０の他方の端を支持させて中継部２３を平坦な状態に維持することが可能である。
【００３９】
上記実施形態における中継部２３の折り畳み方は、一例である。このため、覆い部材２０が折り畳まれた状態にて、屋根取付部２１と扉取付部２２とが表裏面のいずれかに位置し、屋根１３に載置した状態にて、扉取付部２２を回動扉１７の上部に取り付け可能であり、回動扉１７を開くことにより屋根１３の手前に引き出されて上部を覆うような畳み方であれば構わない。
【００４０】
また、上記実施形態においては、屋根取付部２１と扉取付部２２とを収容Ｂｏｘ１０に取り外し自在に取り付ける方法として磁石２４を用いる例について説明したが、これに限らず、例えば面ファスナー等を、屋根取付部２１及び扉取付部２２と収容Ｂｏｘ１０とに取り付けた構成であっても構わない。
【００４１】
また、上記実施形態においては、覆い部材２０をブルーシートなどの遮水性を有するシート材にて形成する例について説明したが、これに限らず、例えば、折り畳み部分にて屈曲可能に連結された複数のプレートにより形成してもよい。
【００４２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  基礎
２  電気設備
１０  収容Ｂｏｘ
１１  背面壁部
１２  側壁部
１３  屋根
１４  正面枠部
１４ａ  開口
１４ｂ  周枠部
１４ｃ  中央枠部
１４ｄ  縦枠部
１６  収容部
１７  回動扉
２０  覆い部材
２１  屋根取付部
２２  扉取付部
２３  中継部
２４  磁石
２５  照明
Ｗ１  収容Ｂｏｘの見付け方向の幅
Ｗ２  回動扉の見付け方向の幅
Ｗ３  延出幅
【図１】
2014135802.tif 000003
【図２】
2014135802.tif 000004
【図３】
2014135802.tif 000005
【図４】
2014135802.tif 000006
【図５】
2014135802.tif 000007
【図６】
2014135802.tif 000008
【図７】
2014135802.tif 000009